(57)【要約】【課題】ハサミは平面的な形状に作られているが、置かれた状態から手に取るための配慮がなされていない。頻用されるものであるので、手に取りやすさも工夫が必要である。また、手に取った後の切断動作への移行のしやすさの配慮も必要なので、手に取りやすく、しかもそのまま持ち替えることをしないで切断動作に移ることができるハサミを提供する。【解決手段】ハサミの静刃側のハンドル部に結合部を備え、結合部を元とした三角形状をなした支持部を、前記ハンドル部に設けた結合部と互いに組み合うように構成されて成り、前記結合部には前記ハンドル部と前記支持部との開口角を調節するための調節手段を備えてなることを特徴とする。【選択図】図１
2015006224.tif 000002
【特許請求の範囲】
【請求項１】
ハサミのハンドル部に支持部を備えてなるハサミであって、前記支持部は支軸部を介し揺動可能に備えられてなることを特徴とするハサミ。
【発明の詳細な説明】
【技術分野】
【０００１】
本発明は、ハサミのハンドル部に支持部を設けたハサミに関する。
【背景技術】
【０００２】
一般的にハサミは平面的な形状に作られている。これは、作りやすさや切りやすさに配慮されたものであると思われるが、一方で、置かれた状態から手に取るための配慮がなされているとはいいがたい。汎用されるものであるので、手に取りやすさも工夫がなされるべきである。また、手に取った後の切断動作への移行のしやすさも配慮がなされるべきである。
【０００３】
手に取りやすいハサミとしては、登録実用新案第３１５９９９９号が知られている。このハサミは、刃部が置かれた平面から上方に浮かせた位置に設定された支持部を持つことを特徴とするハサミで、手に取りやすく手に取った後の切断動作への移行のしやすさも配慮がなされている。
【先行技術文献】
【特許文献】
【０００４】
【特許文献１】登録実用新案第３１５９９９９号
【発明の概要】
【発明が解決しようとする課題】
【０００５】
しかしながら、前記のハサミは、把持部に指を入れやすいものの、ハサミの把持部が置かれた平面から上方に浮かせた位置に設定されているため、形状が平面的ではなく、力がうまく伝わらないため切りにくい。また、幅があるため使用後しまう時も不便だった。
【課題を解決するための手段】
【０００６】
本発明は上記課題を解決するためになされたもので、請求項１に記載のハサミは、ハサミのハンドル部に支持部を備えてなるハサミであって、前記支持部は支軸部を介し揺動可能に備えられてなることを特徴とする。
【発明の効果】
【０００７】
本発明のハサミは、上記の構成を有するため、支持部を起こすことにより、ハサミのハンドル部を支えることができ、ハサミのハンドル部をハサミが置かれた面から浮かせられるので、置かれた状態のハンドル部の穴の中に、指を容易に差し入れることが出来るようになり、ハサミの取り上げや、その後の切り出しへの移行を容易にすることができるとともに、支持部を寝かすことにより形状が平面的になり、力がうまく伝わり、切りやすくなり、使用後にしまう時も嵩張らず利便性が大きく改善される効果を発揮する。
【０００８】
また、ハンドル部の穴への当初の差し入れ度合いが、通常の切断時とほぼ同様の握り方でハサミを取り上げることが可能となり、切断動作に移行する際に通常行われる指入れのための持ち替え作業が不要となりスムーズな切り出しが行えることとなった。そして、ハサミの形状は一般的なハサミと同じように平面的であるため、切りやすく、使用後もしまいやくなるという効果を発揮する。
【図面の簡単な説明】
【０００９】
【図１】本発明の実施例を示す平面図と正面図で、Ｂは支持部を寝かせた状態を示し、Ｃは支持部を起こした状態を示し、Ｄは所定の位置に置かれた状態を示す。
【図２】本発明の実施例のハサミから支持部を外した状態を示す平面図と正面図
【図３】本発明の実施例の支軸部を示す斜視図と断面図
【図４】本発明の他の実施例を示す平面図と正面図でＢは支持部を寝かせた状態を示し、Ｃは支持部を起こした状態を示す。
【図５】本発明の他の実施例の把持部と支持部を示す平面図と正面図
【図６】本発明の他の支持部を示す平面図
【発明を実施するための形態】
【００１０】
以下実施例を上げて本発明を説明する。
【実施例】
【００１１】
本発明のハサミ１は、２個のハサミ片１５，１５をネジ６を中心にして回転可能に構成されている。ハサミ片１５の一方端は刃部９となっており、他方端はハンドル部５となっている。ハンドル部５は柄部１６と把持部２とで構成されている。なお、把持部２は指孔１０が設けられていて、刃部９、柄部１６、把持部２は一体成形されている。ハンドル部５の柄部１６に凸部３aが設けられている。支持部４は三角形状を成していて、頂部には凹部３bが設けられている。また、凸部３aを凹部３bに嵌め合せて支軸部３を構成する。
【００１２】
そして、上記凸部３aを凹部３bに嵌め合せた面の凸部３a側の側面に図３のＡで示しているような傘歯状の歯部１１が設けられており、該歯部１１の中心部に球状凸部１２が設けられている。上記凸部３aを凹部３bに嵌め合せた面の凹部３b側の内面に図３のＡで示しているような傘歯状の歯部１１が設けられており、該歯部１１の中心部に前記球状凸部１２を嵌めるための穴１３が設けられている。前記球状凸部１２を前記穴１３に嵌めて歯部１１、１１をかみ合わせることで、支軸部３を構成するとともに、前記ハンドル部５と前記支持部４との傾斜角を多段階に調節することを可能にするための調節手段を構成している。
【００１３】
次に本ハサミ１の使用法を説明する。ハサミ１は、図１のＤに示すように通常支持部４を起こした状態で、支持部４側を下側にして所定の位置に置かれている。把持部２が浮かせた位置にあるので把持部２の指穴１０に指を入れて、ハサミ１を手に取る。次に支持部４を寝かせて、図１のＢに示す状態にして切断等の作業を行う。そして、切断等の作業を終えた後は、支持部４を起こし図１のＣの状態にし、支持部４側を下側にして所定の位置に置く。
【００１４】
なお、前記調節手段は上記した手段に限るものではなく、例えば図３のＣのように上記支軸部３を構成する前記凸部３aと凹部３bを連通する孔を中心に設け、プラスチックや金属などからなる留め具１４などを前記孔に通して繋ぎ止め、固定するなどの手段を取ることもできる。
【００１５】
また、上記支軸部３を構成する凸部３ａは必ずしも柄部１６に設ける必要はなく、図４、図５で示すように、把持部２に設けることもできる。なお、凸部３ａは、必ずしもハンドル側でなくてもよく支持部４側に設けてもよい。ハンドル部５を構成する柄部１６と把持部２とは別体で構成されてもよく異なった材料で構成されていてもよい。
【００１６】
そして、前記支持部４は、ハサミ１を平面よりも持ち上げた状態で支えるためにあるので、三角形状でなくてもよく、例えば図６に示したような二股状Ａや、ハート形Ｂ、四角形状Ｃなど、どのような形状であってもハサミ１を支え、ハサミ１を使用するときに邪魔にならなければ問題はない。
【００１７】
本発明のハサミ１は、前記した実施例に限らず、本発明の技術思想が許す範囲内で多様に変形して実施出来る。
【産業上の利用可能性】
【００１８】
本発明は、工業的に量産する事が可能であるため、産業上の利用可能性を有する。
【符号の説明】
【００１９】
１ハサミ、２把持部、３支軸部、３a凸部、3b凹部、４支持部、５ハンドル部、６ネジ、９刃部、１０指穴、１１歯部、１２球状凸部、１３穴、１４留め具、１５ハサミ片、１６柄部
【図１】
2015006224.tif 000003
【図２】
2015006224.tif 000004
【図３】
2015006224.tif 000005
【図４】
2015006224.tif 000006
【図５】
2015006224.tif 000007
【図６】
2015006224.tif 000008